(57)【要約】【課題】  簡易な構造で振出操作毎に一つづつの錠剤を確実に取出しできる錠剤容器を提供する。【解決手段】  口頸部を起立する容器体と、上記口頸部上面を閉塞する、振出孔付き頂壁を有する閉塞部材とを具備した錠剤容器において、上記閉塞部材頂壁12の裏面側から、上記振出孔22の周縁部後端部分付近より下方に少なくとも錠剤の最大粒径よりも長い邪魔板24を垂設し、かつ該邪魔板24の下端部を前方に弯曲乃至屈折して該下端部の下面を錠剤との衝突面26とし、更に該邪魔板下端部と振出孔22周縁部の前端部分及び左右両端部分との間に錠剤流入用の空隙Sを形成した。【選択図】  図１
2006103700.tif 000002
【特許請求の範囲】
【請求項１】
口頸部を起立する容器体と、上記口頸部上面を閉塞する、振出孔付き頂壁を有する閉塞部材とを具備した錠剤容器において、上記閉塞部材頂壁12の裏面側から、上記振出孔22の周縁部後端部分付近より下方に少なくとも錠剤の最大粒径よりも長い邪魔板24を垂設し、かつ該邪魔板24の下端部を前方に弯曲乃至屈折して該下端部の下面を錠剤との衝突面26とし、更に該邪魔板24下端部と振出孔22周縁部の前端部分及び左右両端部分との間に錠剤流入用の空隙Sを形成したことを特徴とする、錠剤容器。
【請求項２】
上記振出孔22下面の後方側を、容器体口頸部８の長さより短く垂下した邪魔板24で、又前方乃至左右側方側を、振出孔22との間に錠剤係止面30を存して閉塞部材頂壁12裏面側から邪魔板24より短く垂下した補助壁28で囲うとともに、上記振出孔22の周縁前半部から、後面に窪み34を有する半碗形の錠剤受け32を起立したことを特徴とする、請求項１記載の錠剤容器。
【請求項３】
上記邪魔板24を閉塞部材10の頂壁12と一体に成形したことを特徴とする、請求項１又は請求項２記載の錠剤容器。
【請求項４】
上記閉塞部材10の頂壁12の裏面に、上記振出孔22と重合する透孔42を有する中栓40を取り付け、該中栓から上記邪魔板24、或いは邪魔板及び補助壁28を垂下させたことを特徴とする、請求項１又は請求項２記載の錠剤容器。
【請求項５】
上記補助壁28を、短い内筒28ａと長い外筒28ｂとからなる２重筒とし、かつ該内筒28ａ下面を、錠剤転動用の落差を存して外筒28ｂの下面より上方に配置するとともに、これら内外両筒の間隙を錠剤の最小粒径よりも小としたことを特徴とする、請求項１乃至請求項４の何れかに記載の錠剤容器。
【請求項６】
上記閉塞部材10を、容器体２の口頸部８外面へ嵌合させたキャップ状の装着部材とするとともに、該閉塞部材10の頂壁12後端部に該頂壁上面を開閉可能な蓋体50をヒンジ連結したことを特徴とする、請求項１乃至請求項５のいずれかに記載の錠剤容器。
【発明の詳細な説明】
【技術分野】
【０００１】
本発明は錠剤容器に関する。
【背景技術】
【０００２】
容器体の頂部に振出孔を有する錠剤容器は広く知られているが、その振出の際に上記振出孔を通じて必要数以上の錠剤が振り出されるおそれがあり、仮に振り出された錠剤を上記振出孔を通じて容器体内に戻すとすれば衛生面に問題があった。  
【０００３】
そこで容器体の口頸部内に嵌合させた周壁を有し、該周壁内面に前壁側を下にして傾斜させた仕切り板を横設した栓部材を設け、上記仕切り板の前端部に錠剤振出孔を穿設するとともに、上記栓部材周壁の前壁部上端から後方へ爪状の制止板を突出させて、上記錠剤振出孔からの錠剤の取出し個数を規制するように構造したものが知られている（特許文献１）。
【特許文献１】実開昭50−132431号
【発明の開示】
【発明が解決しようとする課題】
【０００４】
上記特許文献１の容器では、振出の際に多数の錠剤が一度に錠剤挿通孔を通り抜けようとする結果として、錠剤振出孔が塞がってしまう場合があり、該閉塞を解消するために容器を強く振ると錠剤振出孔から飛び出した錠剤を上記制止板で制止し切れずに跳ね飛んで、利用者の手の平に上手く取り出すことができない虞があった。
【０００５】
そこで本発明は、簡易な構造で振出操作毎に一つづつの錠剤を確実に取出しできるようにするため、口頸部を起立する容器体と、上記口頸部上面を閉塞する、振出孔付き頂壁を有する閉塞部材とを具備した錠剤容器において、上記閉塞部材頂壁の裏面側から、上記振出孔の周縁部後端部分付近より下方に少なくとも錠剤の最大粒径よりも長い邪魔板を垂設し、かつ該邪魔板の下端部を前方に弯曲乃至屈折して該下端部の下面を錠剤との衝突面とし、更に該邪魔板下端部と振出孔周縁部の前端部分及び左右両端部分との間に錠剤流入用の空隙を形成した錠剤容器を提供することを目的とする。
【課題を解決するための手段】
【０００６】
第１の手段は、口頸部を起立する容器体と、上記口頸部上面を閉塞する、振出孔付き頂壁を有する閉塞部材とを具備した錠剤容器において、上記閉塞部材頂壁12の裏面側から、上記振出孔22の周縁部後端部分付近より下方に少なくとも錠剤の最大粒径よりも長い邪魔板24を垂設し、かつ該邪魔板24の下端部を前方に弯曲乃至屈折して該下端部の下面を錠剤との衝突面26とし、更に該邪魔板24下端部と振出孔22周縁部の前端部分及び左右両端部分との間に錠剤流入用の空隙Sを形成している。
【０００７】
「邪魔板」は、容器を反転させて振り出す際に、容器体底部側から振出孔への錠剤の進路を妨げることにより、比較的まとまって同時に振出孔へ向かう複数の錠剤を前後方向乃至左右方向に適度に分散させる（捌く）捌き部としての機能を有し、これにより錠剤を振出孔から一つづつ取り出すことができる。尚、錠剤の最大粒径とは、楕円形の錠剤にあってはその長径を、球状の錠剤にあってはその直径をいう。邪魔板の垂下長は、衝突面26との衝突により前後乃至左右に分散させた複数錠剤が１錠づつ振出孔へ入るように設定することが望ましい。そのためには、邪魔板の垂下長は錠剤の最長粒径よりも長くとる必要があり、これより短いと邪魔板と閉塞部材の頂壁との間に錠剤がひっかかり、却って錠剤が振出孔を通過し難くなる虞がある。又、邪魔板の垂下長が長過ぎるときには、邪魔板下端部の衝突面との当接により錠剤を分散する効果が減殺されることになる。その垂下長の上限値は、上記衝突面の大きさや振出孔の直径などを考慮して設定する必要があるので、一律に決定することはできないが、後述の図示例を参考に定めることができる。
【０００８】
邪魔板の下端部は、振出孔の中心を通る垂線の一部を遮るように配置することが望ましく、又、該下端部は巾広帯状、円盤状、リング状など適宜形状に付形することができる。該邪魔板の下端部下面で形成される「衝突面」は、水平面或いは水平に近い傾斜面とすることが望ましく、これにより衝突面から跳ね返った錠剤が前後乃至左右にほぼ均等に分散されることが期待できる。
【０００９】
「閉塞部材」は、後述の如く蓋体を容器体口頸部へ取り付けるためのキャップ装着筒として形成しても良く、又、上記容器体口頸部内に嵌合させた栓部材としても良い。
【００１０】
第２の手段は、上記第1の手段を有し、かつ上記振出孔22下面の後方側を、容器体口頸部８の長さより短く垂下した邪魔板24で、又前方乃至左右側方側を、振出孔22との間に錠剤係止面30を存して閉塞部材頂壁12裏面側から邪魔板24より短く垂下した補助壁28で囲うとともに、上記振出孔22の周縁前半部から、後面に窪み34を有する半碗形の錠剤受け32を起立している。
【００１１】
邪魔板垂下長を口頸部の長さより短く設定しているのは、胴部上端から肩部を介して口頸部を起立した容器においては、肩部の下方に邪魔板の下端部を垂下させると、該下端部との衝突により分散した複数の錠剤が上記肩部を通過することで再び凝集してしまう可能性があるためである。
【００１２】
「補助壁」は、邪魔板とともに振出孔の周囲を囲うことで、錠剤を振出孔へ案内する機能と、振出孔へ向かう錠剤の数を制限する機能とを有する。即ち、邪魔板下端部の衝突面から前後乃至左右に飛び散った錠剤の一部は、容器体口頸部の内面と再衝突して振出孔側へ跳ね返ると考えられるが、跳ね返った錠剤の全部が振出孔付近に集まると、やはり振出孔を閉塞させてしまう可能性がある。そこで容器体口頸部内面から振出孔へ跳ね返る錠剤の進路を遮り、併せて筒壁内に入った錠剤に関しては振出孔へ案内するために補助壁を設けている。これらの機能を担保するために、補助壁は邪魔板よりも短く設ける。更に上記補助壁は、後述の如く筒形とすることもできるが、例えば振出孔の前方及び左右側方を囲う底面視C字形に形成することもできる。又、補助壁を、錠剤案内用の内筒と進路遮断用の外筒とからなる内外２重筒に形成することもできる。
【００１３】
「係止面」は、補助壁28内面を滑り落ちる錠剤を一旦係止させるためのものである。
【００１４】
「錠剤受け」は、上記係止面から滑落した錠剤を再度停止させて一個づつ取り出すために半碗形に形成したものである。ここで「半碗形」とは、円形乃至長円形の碗を横向きとして上下半身に切断したときの形状をいい、その上半身部分を上記振出孔の周縁前半部から起立している。錠剤受けの上下長さは錠剤の最大粒径とほぼ同じとし、錠剤を一個づつ収容可能な大きさに形成することが望ましい。
【００１５】
第３の手段は、上記第1の手段又は第２の手段を有し、かつ上記邪魔板24を閉塞部材10の頂壁12と一体に成形している。
【００１６】
第４の手段は、上記第1の手段又は第２の手段を有し、かつ上記閉塞部材10の頂壁12の裏面に、上記振出孔22と重合する透孔42を有する中栓40を取り付け、該中栓から上記邪魔板24、或いは邪魔板及び補助壁28を垂下させている。
【００１７】
「中栓」は、振出孔への錠剤の進入を規制する邪魔板及び補助壁を含む部品として、閉塞部材の別体として成形するので、邪魔板などを閉塞部材の一部として成形する場合と比べて、邪魔板の形状が多少複雑となっても合成樹脂材により容易に形成することができる。尚、この場合には、上記補助壁を含む中栓部分下面で錠剤係止面を形成することができる。
【００１８】
第５の手段は、上記第1の手段乃至第４の手段の何れかを有し、かつ上記補助壁28を、短い内筒28ａと長い外筒28ｂとからなる２重筒とし、かつ該内筒28ａ下面を、錠剤転動用の落差を存して外筒28ｂの下面より上方に配置するとともに、これら内外両筒の間隙を錠剤の最小粒径よりも小としている。
【００１９】
尚、錠剤の最小粒径とは、楕円形の錠剤にあってはその短径を、球状の錠剤にあってはその直径をいう。
【００２０】
第６の手段は、上記第1の手段乃至第５の手段の何れかを有し、かつ上記閉塞部材10を、容器体２の口頸部８外面へ嵌合させたキャップ状の装着部材とするとともに、該閉塞部材10の頂壁12後端部に該頂壁上面を開閉可能な蓋体50をヒンジ連結している。
【発明の効果】
【００２１】
第１の手段に係る発明によれば、閉塞部材10の頂壁裏面側に邪魔板24を設けたから、上記錠剤振出孔を通り抜けようとする多数の錠剤が上記邪魔板24に衝突することで適度にバラバラとなり、邪魔板24の下端部の左右両側に捌かれて適度に分散した状態で上記振出孔22へ入るから、錠剤振出孔が錠剤により閉塞されることがない。
【００２２】
第２の手段に係る発明によれば、次の効果を有する。
○振出孔22下面の後方側を邪魔板24で、前方及び左右側方側を補助壁28で囲ったから、振出孔22へ多数の錠剤が一度に集中することを更に規制することができる。
○閉塞部材頂壁12の上下両側で、それぞれ錠剤の振出速度を規制する錠剤受け32と係止面30とを設けたから、錠剤を一つづつ確実に振り出すことができる。
【００２３】
第３の手段に係る発明によれば、邪魔板24を閉塞部材10の一部として一体成形できるので部品数を減らし、廉価に製造することができる。
【００２４】
第４の手段に係る発明によれば、上記閉塞部材10とは別体である中栓40に邪魔板24を付設したから、邪魔板の形状設計上の自由度が大となる。
【００２５】
第５の手段に係る発明によれば、補助壁28の内筒28ａの下端面を、錠剤転動用の落差を存して外筒28ｂの下端面より上方に配置したから、容器を逆さまにして振ったときに、上記邪魔板から補助壁28側へ跳ね返った錠剤を上記落差により振出孔に導くことができる。
【００２６】
第６の手段に係る発明によれば、閉塞部材10の頂壁12後端部に蓋体50を付設したから、図３の開蓋状態で該蓋体を上にして傾斜させたときに、該傾斜姿勢で邪魔板24は図示の如く振出孔22の上方へ位置することになるので、錠剤の数が少なくなったときに全ての錠剤を確実に振出孔22から振り出すことができる。
【発明を実施するための最良の形態】
【００２７】
図１乃至図４は、本発明の第１の実施形態に係る錠剤容器を示している。
【００２８】
この錠剤容器は、容器体２と、閉塞部材10と、蓋体50とで構成されている。
【００２９】
容器体２は、胴部４から肩部６を介して広口の口頸部８を起立している。
【００３０】
閉塞部材10は、頂壁12の周縁から垂下する装着筒14を上記口頸部８の外面に螺合させており、又、頂壁12の裏面周辺部から垂下する取付筒16を、上記口頸部８内面に嵌合させている。更に上記頂壁12の上面外周部は陥没させて係合段部18に形成しており、又、上記頂壁12中央には錠剤の振出孔22が穿設してある。該振出孔の直径は、錠剤の最小粒径の２倍よりも小さいものとして、２個の錠剤が同時に通り抜けできないようにすることが望ましい。更に又、上記頂壁12中心部の裏面からは邪魔板24と補助壁28とを垂設し、上面からは錠剤受け32を起立している。
【００３１】
上記邪魔板24は、振出孔22の周縁部後端部分から、錠剤の最大粒径よりは長くかつ上記口頸部８の長さよりも短く垂下しており、該邪魔板24の下端部を前側へ緩やかに湾曲させて、その下端部下面を錠剤との衝突面26に形成している。該邪魔板24は上記振出孔の孔縁に沿った水平断面弧状に形成している。又上記邪魔板24下端部と振出孔22周縁部の前端部分及び左右両端部分との間に錠剤流入用の空隙Sを形成している。尚図示例では、邪魔板24の垂下長（上下長さ）を錠剤の最大粒径の１〜２倍程度と想定している。
【００３２】
上記補助壁28は、上記振出孔22と取付筒16との間の閉塞部材頂壁12部分裏面から垂下する内筒28ａと外筒28ｂとで構成している。図示例では補助壁28の垂下長を錠剤の最大粒径の半分程度とし、邪魔板24の垂下長に比べて上記最大粒径の１〜1.5倍程度短く設けている。
【００３３】
更に又、図示例では、内筒28ａの後壁部から上記邪魔板28を垂下しているが、その構造は適宜変更することができ、例えば内筒28ａ内側の頂壁部分から邪魔板を垂下させても良い。又、上記内筒28ａ内方の頂壁部分下面は、錠剤係止面30を形成する。
【００３４】
上記錠剤受け32は、上記振出孔22の周縁前半部から起立している。この錠剤受けは、上下に長い半碗形状のものであり、その碗後面に窪み34を形成している。該窪み34は図１に示す如く側面から見て弧状の縦断面形状を有する。又、閉塞部材10の頂壁12上面には、上記振出孔22及び錠剤受け32の回りを囲成する溝状の係合条36を形成している。
【００３５】
蓋体50は、天板52の周縁から垂下する蓋周壁54を、上記閉塞部材10の係合段部18に載置させ、該係合段部と上記蓋周壁54の後壁部下端とを肉薄ヒンジ56により一体に連結している。又、上記天板52の中心部は、上記閉塞部材10の錠剤受け32に対応してドーム状に隆起しており、又、該隆起部58の周囲の頂壁部分からは嵌合筒60を垂下し、該嵌合筒下端を上記閉塞部材頂壁12の係合条36に係止させている。
【００３６】
上述の容器体２と閉塞部材10と蓋体50とはそれぞれ合成樹脂で形成することができる。
【００３７】
上記構成において、図１の状態から蓋体を後方へ回動して容器の上部を下前方へ傾けると、図４に示す如く邪魔板24の下端部の衝突面26が、振出孔22の後上方に位置することとなり、比較的密集して振出孔22側へ落下する複数の錠剤が上記衝突面26に当たって邪魔板の前後又は左右へ跳ね返り、その跳ね返りの角度などに応じて若干の時間差をおいて補助壁内筒28ａ内に入る。このとき錠剤の一部は、図４で上向きに表われる内筒28ａ及び外筒28ｂの各下端面に衝突して減速し、これら両筒の下端面の落差により内筒28ａ内へ転動することとなる。そして補助壁28内へ入った錠剤は補助壁内面を滑落して係止面30で一旦停止又は再減速した後、錠剤受け32内へ滑り落ちる。ここで容器を振ると、錠剤受け32内の錠剤が利用者の手の平に落ちるとともに、次の錠剤が係止面30から錠剤受け32内へ滑落し、待機状態となる。
【００３８】
以上の過程を、邪魔板を設けていない場合と比較すると、この場合には多数の錠剤が同時に振出孔に集まって該振出孔を閉塞してしまう可能性があり、又、容器体内の錠剤の数が残り僅かであるときには、錠剤が容器体内から直接錠剤受けに当たって跳ね返る虞がある。これに対して本発明では、上記邪魔板24との衝突により複数の錠剤が前後乃至左右に振り分けられ、補助壁28下面との当接などにより減速する。そして補助壁、係止面30で一時停止した後、錠剤受け32に入るので、不意の錠剤の飛び出しが防止される。
【００３９】
図５及び図６は、本発明の第２実施形態に係る容器を示している。
【００４０】
該容器は、第１実施形態における邪魔板24と補助壁28とを、閉塞部材と別個のパーツである中栓40の一部として設けたものである。該中栓は、円形の栓板の中心部に上記振出孔と重合する透孔42を有し、該中栓の周縁部を上記取付筒16内面に嵌合させて閉塞部材10の頂壁12裏面に取り付けるとともに、上記透孔42の周縁部下端部から邪魔板24を垂下しており、かつ中栓の裏面外周部から単一の筒壁で形成する補助壁28を垂下している。又、好適な図示の例では、上記振出孔22の孔縁部から短筒を垂下し、該短筒を上記中栓40の透孔42内に嵌合させている。本実施形態では、上記短筒の下端面と補助壁28内方の中栓部分下面とで、錠剤係止面30を形成している。更に図示の邪魔板24は、上記中栓40の裏面から垂下する縦板部24ａと、該縦板部の下端から前方突出する水平板部24ｂとを有しており、邪魔板下端部である水平板部の下面を衝突面26に形成している。尚、図示の水平板部24ｂは円板状に形成しているが、その形状は適宜変更することができる。上記中栓40は、合成樹脂材で一体成形することができる。
【図面の簡単な説明】
【００４１】
【図１】本発明の第1の実施形態に係る容器の縦断面図である。
【図２】図１容器の閉塞部材の下面図である。
【図３】図１容器の閉塞部材を開蓋状態で見た平面図である。
【図４】図１容器の作用説明図である。
【図５】本発明の第2の実施形態に係る容器の縦断面図である。
【図６】図５容器の要部斜視図である。
【符号の説明】
【００４２】
２…容器体  ４…胴部  ６…肩部  ８…口頸部  10…閉塞部材  12…頂壁
14…装着筒  16…取付筒  18…係合段部  
22…振出孔  24…邪魔板  24a…縦板部  24ｂ…水平板部  26…衝突面
28…補助壁  28ａ…内筒  28ｂ…外筒  30…錠剤係止面  32…錠剤受け
34…窪み  36…係合条
40…中栓  42…透孔  50…蓋体  52…天板  54…蓋周壁  56…肉薄ヒンジ
58…隆起部  60…嵌合筒
【図１】
2006103700.tif 000003
【図２】
2006103700.tif 000004
【図３】
2006103700.tif 000005
【図４】
2006103700.tif 000006
【図５】
2006103700.tif 000007
【図６】
2006103700.tif 000008